(57)【要約】      （修正有）【課題】所定の条件に応じて効果的に塵埃をフィルタから除去することができる電子機器およびこれに用いられるフィルタ装置を提供する。【解決手段】電子機器は、筐体と、フィルタ装置５０と、吸気機構と、制御部６０とを具備する。フィルタ装置５０は、フィルタと、フィルタに力を加えることによりフィルタに付着した塵埃を除去する除去機構２０とを有し、筐体内に設けられている。吸気機構は、筐体内に設けられ、フィルタを介して筐体外から筐体内へ吸気する。制御部６０は、筐体の姿勢および吸気機構の動作状態のうち少なくとも一方に基づき、除去機構２０を駆動するように構成される。【選択図】図５
2016143754.tif 000002
【特許請求の範囲】
【請求項１】
筐体と、
フィルタと、前記フィルタに力を加えることにより前記フィルタに付着した塵埃を除去する除去機構とを有し、前記筐体内に設けられたフィルタ装置と、
前記筐体内に設けられ、前記フィルタを介して前記筐体外から前記筐体内へ吸気する吸気機構と、
前記筐体の姿勢および前記吸気機構の動作状態のうち少なくとも一方に基づき、前記除去機構を駆動するように構成された制御部と
を具備する電子機器。
【請求項２】
請求項１に記載の電子機器であって、
前記筐体の姿勢を検出する姿勢センサをさらに具備し、
前記制御部は、前記姿勢センサによる検出結果に基づき、前記除去機構を駆動するように構成される
電子機器。
【請求項３】
請求項１に記載の電子機器であって、
光源をさらに具備し、
前記制御部は、前記吸気機構の動作状態および前記光源の状態に基づき、前記除去機構を駆動するように構成される
電子機器。
【請求項４】
請求項３に記載の電子機器であって、
前記吸気機構は、回転ファンを有し、
前記制御部は、前記光源への投入電力が閾値以下であって、かつ、前記回転ファンの回転数が閾値以下である場合に、前記除去機構を駆動するように構成される
電子機器。
【請求項５】
請求項３に記載の電子機器であって、
前記制御部は、前記光源からの光による明るさが閾値以下であって、かつ、前記回転ファンの回転数が閾値以下である場合に、前記除去機構を駆動するように構成される
【請求項６】
請求項１に記載の電子機器であって、
前記除去機構は、ソレノイドである
電子機器。
【請求項７】
請求項２に記載の電子機器であって、
前記筐体内に設けられ、前記除去機構の駆動により除去された塵埃が収容される収容領域をさらに具備し、
前記除去機構を駆動するか否かの基準値に対応する前記姿勢センサによる検出の閾値は、前記収容領域のサイズに応じて設計された値である
電子機器。
【請求項８】
電子機器の筐体内に設けられたフィルタ装置であって、
フィルタと、
前記筐体の姿勢および前記吸気機構の動作状態のうち少なくとも一方に基づき生成された制御信号を受けて、前記フィルタに力を加えることにより前記フィルタに付着した塵埃を除去する除去機構と
を具備するフィルタ装置。
【発明の詳細な説明】
【技術分野】
【０００１】
本技術は、防塵用のフィルタ装置およびこれ備える電子機器に関する。
【背景技術】
【０００２】
特許文献１に記載のプロジェクタ装置は、筐体内で吸気窓の内側に配設されるとともに空気中から塵埃を補足するフィルタ装置を備えている。フィルタ装置は、空気中の塵埃を吸着するフィルタ部材と、フィルタ部材が取り付けられる枠部材と、枠部材を振動させてフィルタ部材に吸着した塵埃を振るい落とす振動子とを有する。筐体内には、冷却ファンが設けられ、この冷却ファンの駆動により、筐体外からフィルタ装置を介して、筐体内の照明装置や色分離光学装置にクリーンな空気が供給されてこれらが冷却される（例えば、特許文献１参照。）。
【先行技術文献】
【特許文献】
【０００３】
【特許文献１】特開2011-170270号公報
【発明の概要】
【発明が解決しようとする課題】
【０００４】
以上のようなフィルタ装置を利用して、所定の条件に応じて効果的に塵埃をフィルタから除去することができる電子機器が望まれる。
【０００５】
本技術の目的は、所定の条件に応じて効果的に塵埃をフィルタから除去することができる電子機器およびこれに用いられるフィルタ装置を提供することにある。
【課題を解決するための手段】
【０００６】
上記目的を達成するため、本技術に係る電子機器は、筐体と、フィルタ装置と、吸気機構と、制御部とを具備する。
前記フィルタ装置は、フィルタと、前記フィルタに力を加えることにより前記フィルタに付着した塵埃を除去する除去機構とを有し、前記筐体内に設けられている。
前記吸気機構は、前記筐体内に設けられ、前記フィルタを介して前記筐体外から前記筐体内へ吸気する。
前記制御部は、前記筐体の姿勢および前記吸気機構の動作状態のうち少なくとも一方に基づき、前記除去機構を駆動するように構成される。
制御部は、筐体の姿勢および／または吸気機構の動作状態に基づき除去機構を駆動するので、それらの条件に応じて効果的に塵埃をフィルタから除去することができる。
【０００７】
前記電子機器は、前記筐体の姿勢を検出する姿勢センサをさらに具備してもよい。
前記制御部は、前記姿勢センサによる検出結果に基づき、前記除去機構を駆動するように構成されていてもよい。
除去機構が駆動されてフィルタから塵埃が除去されるとき、フィルタの取付位置および筐体の姿勢（フィルタ装置の姿勢）によっては、このフィルタに付着した塵埃が、電子機器に悪影響を及ぼすおそれがある。したがって、姿勢センサが設けられることにより、安全に塵埃を除去することができる。
【０００８】
前記電子機器は、光源をさらに具備し、前記制御部は、前記吸気機構の動作状態および前記光源の状態に基づき、前記除去機構を駆動するように構成されていてもよい。
制御部は、吸気機構の動作状態だけでなく、光源の動作状態も監視するので、安全に塵埃を除去することができる。
【０００９】
前記吸気機構は、回転ファンを有し、前記制御部は、前記光源への投入電力が閾値以下であって、かつ、前記回転ファンの回転数が閾値以下である場合に、前記除去機構を駆動するように構成されていてもよい。
【００１０】
前記制御部は、前記光源からの光による明るさが閾値以下であって、かつ、前記回転ファンの回転数が閾値以下である場合に、前記除去機構を駆動するように構成されていてもよい。
【００１１】
前記除去機構は、ソレノイドであってもよい。
ソレノイドが用いられることにより、フィルタへ加えられる力の主要なベクトルを、フィルタ面に垂直方向とすることができる。これにより、フィルタに付着した塵埃を効率的に除去することができる。また、フィルタ装置の部品点数を少なくでき、簡易な構成を有するフィルタ装置を実現できる。
【００１２】
前記電子機器は、前記筐体内に設けられ、前記除去機構の駆動により除去された塵埃が収容される収容領域をさらに具備してもよい。
前記除去機構を駆動するか否かの基準値に対応する前記姿勢センサによる検出の閾値は、前記収容領域のサイズに応じて設計された値であってもよい。
【００１３】
本技術に係るフィルタ装置は、上述したように、電子機器の筐体内に設けられたフィルタ装置である。
前記フィルタ装置は、フィルタと、除去機構とを具備する。
除去機構は、前記筐体の姿勢および前記吸気機構の動作状態のうち少なくとも一方に基づき生成された制御信号を受けて、前記フィルタに力を加えることにより前記フィルタに付着した塵埃を除去する。
【発明の効果】
【００１４】
以上、本技術によれば、所定の条件に応じて効果的に塵埃をフィルタから除去することができる。
なお、ここに記載された効果は必ずしも限定されるものではなく、本開示中に記載されたいずれかの効果であってもよい。
【図面の簡単な説明】
【００１５】
【図１】図１は、本技術の一実施形態に係る電子機器として、プロジェクタを示す斜視図である。
【図２】図２は、筐体の吸気口およびその周辺を含む、プロジェクタの一部を示す断面図である。
【図３】図３は、フィルタ装置を分解して示す斜視図である。
【図４】図４Ａ〜Ｃは、除去機構の駆動によって、フィルタに付着した塵埃が除去される様子を説明するための図である。
【図５】図５は、プロジェクタの一形態に係る電気的構成を示すブロック図である。
【図６】図６は、本実施形態に係るプロジェクタのファンユニットによる風量比、および、比較例に係る２つのプロジェクタのそれを示すグラフである。
【図７】図７は、プロジェクタの動作を示すフローチャートである。
【図８】図８Ａ、Ｂは、除去機構が駆動可能な状態へ移行するための閾値範囲を説明する図である。
【図９】図９は、別の形態に係る動作を示すフローチャートである。
【図１０】図１０は、上記各実施形態に係る電気的構成を備えるプロジェクタの他の動作を示すフローチャートである。
【図１１】図１１Ａ、Ｂは、別の実施形態に係るプロジェクタのフィルタ装置付近を示す断面図である。
【発明を実施するための形態】
【００１６】
以下、本技術に係る実施形態を、図面を参照しながら説明する。
【００１７】
［プロジェクタの基本的構成］
【００１８】
図１は、本技術の一実施形態に係る電子機器として、プロジェクタを示す斜視図である。プロジェクタ１００Ａは、機能部品（複数）の一部または全部を収容する筐体１０を有する。筐体１０の一側面（例えば右側面）１１には、筐体１０内に空気を取り込むための吸気口１５が設けられている。吸気口１５は、例えば複数のスリットで構成されている。
【００１９】
図２は、筐体１０の吸気口１５およびその周辺を含む、プロジェクタ１００Ａの一部を示す断面図である。筐体１０内には、吸気口１５に隣接するように防塵用のフィルタ装置５０が配置され、また、フィルタ装置５０の近傍には吸気機構として機能するファンユニット６２が設けられている。
【００２０】
図３は、フィルタ装置５０を分解して示す斜視図である。フィルタ装置５０は、主に、フィルタ要素３５（フィルタ）、フレーム部材３０、緩衝部材３８、および除去機構２０を備える。
【００２１】
フィルタ要素３５は、空気中の塵埃を捕捉する機能を有する。フレーム部材３０は、フィルタ要素３５を支持する機能を有し、例えば横に長い矩形状を有している。フレーム部材３０は、フレーム本体３３と、そのフレーム本体３３の外周に沿って設けられ、外方に突出するベース突起板３１を有する。
【００２２】
緩衝部材３８は、例えば２つ設けられている。これらの緩衝部材３８は、ベース突起板３１を両側から挟み込むように、フレーム部材３０に装着されている。緩衝部材３８は、例えばスポンジ、ゴム、その他、比較的剛性の低い材料で構成されている。
【００２３】
図２に示すように、筐体１０の内側には、フィルタ装着部１３が設けられている。フィルタ装着部１３は、フレーム部材３０のベース突起板３１の形状に対応する形状、例えば連続的または断続的に形成された矩形状を有する。フレーム部材３０は、フィルタ装着部１３によって緩衝部材３８を介してこのベース突起板３１が挟まれるようにして、筐体１０内に設置される。
【００２４】
除去機構２０は、例えばソレノイドで構成される。図３に示すように、ソレノイドの駆動軸２２の先端部には、ヘッド２４および消音部材２６が取り付けられている。消音部材２６は、駆動軸２２の軸方向でヘッド２４を挟むように例えば２つ設けられている。
【００２５】
駆動軸２２に取り付けられたヘッド２４と、フレーム部材３０（の例えば中央部に設けられた柱部３２）との距離が駆動軸２２のストロークより短くなるように、ソレノイドがフレーム部材３０に対して配置されている。すなわち、ソレノイドは、ヘッド２４がフレーム部材３０に力を加えることが可能な位置に配置されている。ソレノイドがフレーム部材３０に対して配置されている。あるいは、ヘッド２４がフレーム部材３０（の例えば中央部に設けられた柱部３２）に接続されるように、ソレノイドが設けられていてもよい。
【００２６】
ファンユニット６２は、例えば図示しない回転羽根を有する回転ファン装置である。このファンユニット６２は、軸流タイプでもよいし遠心タイプでもよい。ファンユニット６２および機能部品等の配置、設計等により、いずれかのタイプが選択される。
【００２７】
図２に示すように、一点鎖線で示す通風路６９が、ファンユニット６２、また、ファンユニット６２とフレーム部材３０との間に設けられている。通風路６９は、図示しない機能部品のうち少なくとも１つの部品が配置される位置まで延設されている。ファンユニット６２が作動すると、筐体１０外の空気が、吸気口１５およびフィルタ装置５０を介して筐体１０内に導入される。導入された空気は通風路６９を通って、機能部品のうち少なくとも１つへ供給される。これにより当該部品が冷却される。
【００２８】
筐体１０の底面には、例えば図示しない排気口が設けられている。上記冷却に使用された空気が、その排気口を介して筐体１０外へ排出される。
【００２９】
機能部品は、図示しないが、例えば光源を含む照明光学系、この照明光学系からの照明光を変調して画像光を生成する光変調デバイス、および、光変調デバイスで生成された画像光を投射する投射光学系などで構成される。図１に示すように、筐体１０の前面には、その投射光学系の一部を構成する投影レンズ７０が設けられている。
【００３０】
図４Ａ〜Ｃは、除去機構２０の駆動によって、フィルタ要素３５（図３参照）に付着した塵埃が除去される様子を説明するための図である。図４Ａに示すように、ソレノイドの駆動軸２２が前方へ駆動すると、ヘッド２４がフレーム部材３０を打撃し、図４Ｂに示すように、その衝撃によりフレーム部材３０が揺動する。フレーム部材３０が揺動することにより、図４Ｃに示すように、フィルタ要素３５に付着した塵埃Ｄが落下する。塵埃Ｄが除去されることにより、製品出荷時における風量、つまり所期の風量と同等の風量を確保することができる。
【００３１】
本実施形態では、除去機構２０としてソレノイドが用いられることにより、フィルタへ加えられる力の主要なベクトルを、駆動軸２２方向、つまりフィルタ面に垂直方向とすることができる。これにより、フィルタに付着した塵埃を効率的に除去することができる。また、ソレノイドが用いられることにより、フィルタ装置５０の部品点数を少なくでき、簡易な構成を有するフィルタ装置５０を実現できる。
【００３２】
［電子機器の一形態に係る電気的構成およびその動作］
【００３３】
図５は、プロジェクタ１００Ａの一形態に係る電気的構成を示すブロック図である。プロジェクタ１００Ａは、制御部６０、姿勢センサ６３、ファンユニット６２、機能部品６１、上記フィルタ装置５０の除去機構２０、および図示しない電源スイッチを備える。なお、ここでの機能部品６１は、光源や光変調デバイスなど、電気回路や電気配線を含む部品を意味する。
【００３４】
姿勢センサ６３は、筐体１０と一体に固定されるように設けられ、筐体１０の姿勢、つまりフィルタ装置５０の姿勢を検出可能である。姿勢センサ６３としては、例えば加速度センサおよび／または角速度センサが用いられる。具体的には、姿勢センサ６３は、少なくとも、フィルタ要素３５のフィルタ面に平行な軸（図１においてｙ軸）周りの傾斜角を検出するように構成される。本実施形態では、ｙ軸は、筐体１０の側面１１の長手方向に沿う軸である。
【００３５】
制御部６０は、姿勢センサ６３による筐体１０の姿勢（ｙ軸周りの筐体１０の傾斜角）の検出結果に基づき、除去機構２０の駆動するように構成される。一形態として、制御部６０は、当該検出結果に基づき、除去機構２０の駆動を開始する制御、および、その駆動を停止する制御を実行する。
【００３６】
制御部６０を構成するハードウェアは、例えばＣＰＵ（Central Processing Unit）、ＲＡＭ（Random Access Memory）、ＲＯＭ（Read Only Memory）等で構成される。あるいは、制御部６０は、ＰＬＤ(Programmable Logic Device)を含んでいてもよい。
【００３７】
電源スイッチは、例えば機能部品の１つである図示しない電源装置に電気的に接続され、外部からプロジェクタ１００Ａへの電源投入およびそれを遮断するスイッチである。電源スイッチは、また、半導体によるスイッチ（例えば電源OFF用のスイッチ）も含んでいてもよい。
【００３８】
図６は、本実施形態に係るプロジェクタ１００Ａのファンユニット６２による風量比、および、比較例に係る２つのプロジェクタ（比較例１、２）のファンユニットによる風量比を示すグラフである。横軸はファンユニットの動作時間であり、縦軸は風量比である。風量比は、所期の風量比を100％とした場合の、風量の低下の割合を示す。グラフからわかるように、比較例に係る２つのプロジェクタの風量比は、時間の経過とともに低下し、例えば数百時間で、メンテナンス目安の風量比である80〜90％程度に達してしまう。
【００３９】
これに対し本実施形態に係るプロジェクタ１００Ａでは、除去機構２０により定期的または不定期に塵埃が除去されることにより、95％前後の風量比を長期間維持することができる。したがって、長期間、高い冷却性能を維持することができる。
【００４０】
また、従来では、細かい目を持つ高性能フィルタを用いる場合、早い時期に目詰まりが起こり、風量が低下する懸念があった。しかし、本実施形態によればそのような懸念がなく、細かい目を持つ高性能フィルタを利用することができる。
【００４１】
また、本実施形態では、フィルタ装置５０を用いることにより、所期の風量を維持できる。したがって、フィルタ要素を小型化、具体的にはフィルタ面の小面積化を実現することもできる。
【００４２】
図７は、プロジェクタ１００Ａの動作を示すフローチャートである。以下では、説明の便宜上、動作の主体を制御部６０として説明する。例えばユーザにより電源スイッチがOFFとされると、制御部６０は、プロジェクタ１００Ａのシャットダウンの準備を開始し（ステップ１０１）、ステップ１０２以降のフィルタのクリーニング動作状態へ移行する。
【００４３】
クリーニング動作状態では、制御部６０は以下のように動作する。制御部６０は、姿勢センサ６３から出力される検出値を取得し、その検出値を監視する（ステップ１０２）。検出の閾値は、制御部６０が、除去機構２０を駆動するか否かの基準値に対応する値である。検出値が閾値以下である場合、制御部６０は、除去機構２０を駆動を開始し（ステップ１０３）、その後、その駆動を停止する（ステップ１０４）。このとき、塵埃が下に落ちるまで数秒程度かかる。これによりクリーニング動作が完了する。
【００４４】
一方、ステップ１０２で、検出値が閾値を超えている場合、制御部６０は、除去機構２０を駆動せず（ステップ１０５）、そのままプロジェクタ１００Ａの電源をOFFとする。
【００４５】
ここで、図８Ａ、Ｂは、除去機構２０が駆動可能な状態へ移行するための閾値範囲を説明する図である。図８Ａ、Ｂでは、プロジェクタ１００Ａを投影レンズ７０側、つまり正面側から見ており、その筐体１０の右側面にフィルタ要素３５が配置されている。
【００４６】
図８Ａは、プロジェクタ１００Ａの筐体１０が時計回りで回転してその傾斜角が変わる様子を示している。図８Ｂは、筐体１０が反時計回りで回転してその傾斜角が変わる様子を示している。プロジェクタ１００Ａの通常の使用方法、つまり、図１に示すようにプロジェクタ１００Ａが水平に置かれた状態における、姿勢センサ６３の検出値を0°とする。この場合、筐体１０の傾斜角が水平面に対して0°である。
【００４７】
例えば図８Ａにおける時計回りの極性を正とし、図８Ｂにおける反時計回りの極性を負とする。除去機構２０の駆動状態へ移行するための閾値範囲（以下では、便宜的に駆動許容範囲と言う。）は、0°〜+180°（図８Ａ参照）、であり、また、0°〜-20°および-160°〜-180°（図８Ｂ参照）である。つまり、回転方向が時計回りの方向である場合、駆動許容範囲はすべての角度範囲であり、反時計回りの方向である場合、上記のように限定された角度範囲となる。
【００４８】
図８Ａに示すように、時計回りの筐体１０の傾斜では、フィルタ面が下方に向くので、0°〜+180°内のいずれの傾斜角も駆動許容範囲として設定される。
【００４９】
図８Ｂにおいて、反時計回りの筐体１０の傾斜では、筐体１０の傾斜角が駆動許容範囲にない場合、除去機構２０による打撃によってフィルタ要素３５から塵埃が離れたとしても、塵埃が重力で落下してフィルタ要素３５に再付着する可能性がある。したがって、反時計回りの筐体１０の傾斜では、本実施形態のように筐体１０の傾斜角が所定の範囲内にあるときに、除去機構２０が駆動されることによって、フィルタ要素３５から効果的に塵埃を除去することができる。
【００５０】
なお、例えばプロジェクタ１００Ａを正面側から見て、筐体１０の左側面にフィルタ装置５０が配置されている場合には、図８Ａ，Ｂに示す駆動許容範囲は、互いに逆になる。つまり回転方向が、反時計回りの方向である場合、すべての角度範囲となる。そして、回転方向が時計回りの方向である場合、駆動許容範囲は限定された角度範囲（0°〜+20°および-160°〜+180°）となる。
【００５１】
また、限定された駆動許容範囲（図８Ｂ参照）は、上述のように0°〜-20°および-160°〜-180°（フィルタ装置５０が左側面にある場合、0°〜+20°および+160°〜+180°）である。しかし、好ましくは、0°〜-10°および-170°〜-180°（フィルタ装置５０が左側面にある場合、0°〜+10°および+170°〜+180°）とされる。
【００５２】
以上のように、本実施形態に係るプロジェクタ１００Ａによれば、筐体１０の姿勢等の所定の条件に応じて、効果的に塵埃をフィルタ要素３５から除去することができる。
【００５３】
［プロジェクタの別の形態に係る動作］
【００５４】
図５を参照して、本実施形態では、制御部６０は、姿勢センサ６３による検出値に加え、ファンユニット６２の動作状態を示す情報、および、機能部品６１のうち光源の状態を示す情報とを取得するように構成される。
【００５５】
ファンユニット６２の動作状態とは、例えば回転羽根の回転数である。すなわち、制御部６０は、回転羽根の回転数を監視する。一方、光源の状態とは、例えば光源に投入される電力である。すなわち、制御部６０は、光源に投入される電力を監視する。
【００５６】
図９は、本実施形態に係る動作を示すフローチャートである。ステップ２０１、２０２、２０９は、図７に示したフローチャートのステップ１０１、１０２、１０５とそれぞれ同様の処理であり、その説明を省略する。
【００５７】
ステップ２０２において、姿勢センサ６３による検出値が駆動許容範囲である場合、制御部６０は、以下のような処理を実行する。制御部６０は、光源への投入電力を制御し（ステップ２０３）、具体的には減光または消灯する。その投入電力が閾値以下となった場合（ステップ２０４のYes）、制御部６０は、ファンユニット６２（の回転羽根）の回転数を制御し（ステップ２０５）、具体的には、その回転数を低くするか、または停止する。その回転数が閾値以下となった場合（ステップ２０６のYes）、制御部６０は、図７に示したステップ１０３および１０４の処理と同様の処理を実行する（ステップ２０７、２０８）。
【００５８】
制御部６０は、光源の状態として、光源に投入される電力を監視したが、光源からの光による明るさを監視するようにしてもよい。「明るさ」とは、具体的には、輝度、照度、光束、または光度エネルギーを意味する。この場合、プロジェクタ１００Ａは、その明るさを検出する明るさセンサを備える。
【００５９】
なお、ステップ２０３および２０４が、ステップ２０５および２０６の後に実行されてもよい。
【００６０】
本実施形態では、ファンユニット６２の回転数および光源の状態の両方が監視される。したがって、光源の状態がクリーニング動作状態への移行の条件を満たしても、ファンユニット６２の回転数がそれを満たさない場合、除去機構２０の駆動時に、塵埃を効果的に除去できないおそれがある。また、逆に、ファンユニット６２の回転数がクリーニング動作状態への移行の条件を満たしても、光源の状態がそれを満たさない場合、レンズ等の光学部品の発熱過多が問題になる。本実施形態によれば、これらの問題を解決することができる。
【００６１】
［プロジェクタのさらに別の形態に係る動作］
【００６２】
図１０は、上記各実施形態に係る電気的構成を備えるプロジェクタ１００Ａの他の動作を示すフローチャートである。
【００６３】
この処理では、電源スイッチ以外の手段で電源がOFFとされる形態について説明する。例えば、例えば室内のブレーカが遮断され、または、プロジェクタ１００Ａが起動している状態で電源プラグが室内の電源ジャックから引き抜かれた場合について説明する。このように、電源スイッチによらない電源OFFが実行された場合（ステップ３０１）、クリーニング動作を実行できない。したがって、次回にプロジェクタ１００Ａの電源がONとされて起動した場合（ステップ３０２）、図７、１１に示したステップ１０２、２０２以降の処理が行われる（ステップ３０３）。
【００６４】
［別の実施形態に係るプロジェクタの構成］
【００６５】
図１１Ａは、別の実施形態に係るプロジェクタ１００Ｂのフィルタ装置５０付近を示す断面図である。筐体１１０内において、このプロジェクタ１００Ａの吸気口１５と、フィルタ装置５０のフレーム部材３０との間には、フィルタ要素３５から除去された塵埃を収容する収容部１７が設けられている。収容部１７は上部に開口を有し、収容部１７内には、塵埃が堆積する収容領域１７ａが設けられている。なお、除去機構の図示は省略されている。
【００６６】
本実施形態に係るプロジェクタ１００Ｂは、上記した姿勢センサ６３を備える。この姿勢センサ６３による検出の閾値は、収容領域１７ａのサイズに応じて設計される。具体的には、筐体１１０が傾斜する場合、フィルタ要素３５の外面からの、収容領域１７ａの吸気口１５側の端部１７ｂまでの距離ｄに応じて、筐体１１０の傾斜角の駆動許容範囲が設定される。その距離ｄとは、図１１Ｂに示すように、フィルタ要素３５の上端からの下した鉛直線上にその収容領域１７ａの端部１７ｂが位置するような距離である。図１１Ｂに示す状態にある筐体１１０の傾斜角αが、クリーニング動作を実行できる最大傾斜角とされる。
【００６７】
例えば、図８Ａで説明したように、0°〜+180°の広い範囲で駆動許容範囲が設定されていない場合、本実施形態のように、収容領域１７ａのサイズに応じた値で駆動許容範囲を設定することができる。そして、図１１Ｂに示す最大傾斜角で傾斜したとしても、除去機構２０の駆動によりフィルタ要素３５から塵埃が除去されて落ちるときに、収容領域１７ａにほとんどの塵埃を収容することができる。
【００６８】
［他の種々の実施形態］
【００６９】
本技術は、以上説明した実施形態に限定されず、他の種々の実施形態を実現することができる。
【００７０】
以上の実施形態では、制御部は、筐体の姿勢を監視したが、筐体の姿勢を監視せず（姿勢センサも不要）、ファンユニットである吸気機構の動作状態のみに基づき、除去機構を駆動するようにしてもよい。
【００７１】
図９に示した処理において、制御部６０は、ステップ２０１の後、ステップ２０３以降を実行し、ステップ２０２を省略してもよい。この場合、ステップ２０４またはステップ２０６でNo判定の場合に、ステップ２０９の処理を実行するようにしてもよい。
【００７２】
吸気口１５は、筐体の側面に設けられる形態に限られず、筐体の背面、底面、および上面のうちいずれか少なくとも１つに設けられていてもよい。
【００７３】
除去機構２０として、ソレノイドの代わりに、例えば偏心モータや圧電振動デバイス等、他の機構が用いられてもよい。
【００７４】
上記図８Ａに示した形態において、筐体１０の時計回り方向の傾斜角のすべてが駆動許容範囲であった。しかし、時計回りおよび反時計回りのどちらについても、駆動許容範囲は、0°〜20°および160°〜180°（または、0°〜10°および170°〜180°）とされてもよい。つまり、フィルタ要素３５を構成する面が重力の作用方向に対して概ね平行に配置される場合に、除去機構２０を作動させるようにしてもよい。
【００７５】
電子機器として、プロジェクタを例に挙げたが、ＰＣ（Personal Computer）、その他コンピュータ等の機器であってもよい。
【００７６】
以上説明した各形態の特徴部分のうち、少なくとも２つの特徴部分を組み合わせることも可能である。
【００７７】
なお、本技術は以下のような構成もとることができる。
（１）
筐体と、
フィルタと、前記フィルタに力を加えることにより前記フィルタに付着した塵埃を除去する除去機構とを有し、前記筐体内に設けられたフィルタ装置と、
前記筐体内に設けられ、前記フィルタを介して前記筐体外から前記筐体内へ吸気する吸気機構と、
前記筐体の姿勢および前記吸気機構の動作状態のうち少なくとも一方に基づき、前記除去機構を駆動するように構成された制御部と
を具備する電子機器。
（２）
前記（１）に記載の電子機器であって、
前記筐体の姿勢を検出する姿勢センサをさらに具備し、
前記制御部は、前記姿勢センサによる検出結果に基づき、前記除去機構を駆動するように構成される
電子機器。
（３）
前記（１）または（２）に記載の電子機器であって、
光源をさらに具備し、
前記制御部は、前記吸気機構の動作状態および前記光源の状態に基づき、前記除去機構を駆動するように構成される
電子機器。
（４）
前記（３）に記載の電子機器であって、
前記吸気機構は、回転ファンを有し、
前記制御部は、前記光源への投入電力が閾値以下であって、かつ、前記回転ファンの回転数が閾値以下である場合に、前記除去機構を駆動するように構成される
電子機器。
（５）
前記（３）に記載の電子機器であって、
前記制御部は、前記光源からの光による明るさが閾値以下であって、かつ、前記回転ファンの回転数が閾値以下である場合に、前記除去機構を駆動するように構成される
（６）
前記（１）から（５）のうちいずれか１つに記載の電子機器であって、
前記除去機構は、ソレノイドである
電子機器。
（７）
前記（２）に記載の電子機器であって、
前記筐体内に設けられ、前記除去機構の駆動により除去された塵埃が収容される収容領域をさらに具備し、
前記除去機構を駆動するか否かの基準値に対応する前記姿勢センサによる検出の閾値は、前記収容領域のサイズに応じて設計された値である
電子機器。
（８）
電子機器の筐体内に設けられたフィルタ装置であって、
フィルタと、
前記筐体の姿勢および前記吸気機構の動作状態のうち少なくとも一方に基づき生成された制御信号を受けて、前記フィルタに力を加えることにより前記フィルタに付着した塵埃を除去する除去機構と
を具備するフィルタ装置。
【符号の説明】
【００７８】
１０、１１０…筐体
１７…収容部
１７ａ…収容領域
１７ｂ…端部
２０…除去機構
３０…フレーム部材
３５…フィルタ要素
５０…フィルタ装置
６０…制御部
６１…機能部品
６２…ファンユニット
６３…姿勢センサ
１００Ａ、１００Ｂ…プロジェクタ
【図２】
2016143754.tif 000003
【図３】
2016143754.tif 000004
【図４】
2016143754.tif 000005
【図５】
2016143754.tif 000006
【図６】
2016143754.tif 000007
【図７】
2016143754.tif 000008
【図８】
2016143754.tif 000009
【図９】
2016143754.tif 000010
【図１０】
2016143754.tif 000011
【図１１】
2016143754.tif 000012
【図１】
2016143754.tif 000013